(57)【要約】【課題】スピーカ用開口１２ａ、１２ｂや吸排気口１４から水や粉塵の筐体２内への侵入を防止する。【解決手段】筐体２内にスピーカ８を含む電子部品が収納されるとともに、筐体２の壁２ａ、２ｂにスピーカが発する音を筐体外へ放出するためのスピーカ用開口１２ａ，１２ｂ及び電子部品が発する熱を筐体２外へ放出するための吸排気口１４が形成された電子機器１１において、  スピーカ用開口１２ａ，１２ｂ及び吸排気口１４を防水透湿性繊維からなる布１３，１５で覆う。【選択図】      図１
0003104217.tif 000002
【実用新案登録請求の範囲】
【請求項１】
筐体内にスピーカを含む電子部品が収納されるとともに、筐体の壁に前記スピーカが発する音を筐体外へ放出するためのスピーカ用開口が形成された電子機器において、
前記スピーカ用開口は防水透湿性繊維からなる布で覆われていることを特徴とする電子機器。
【請求項２】
前記スピーカは、前記スピーカ用開口に対向する位置で、かつ前記スピーカ用開口に対して離間する位置に配設されていることを特徴とする請求項１記載の電子機器。
【請求項３】
筐体内に電子部品が収納されるとともに、筐体の壁に前記電子部品が発する熱を筐体外へ放出するための吸排気口が形成された電子機器において、
前記吸排気口は防水透湿性繊維からなる布で覆われていることを特徴とする電子機器。
【請求項４】
筐体内にマイクを含む電子部品が収納されるとともに、筐体の壁に筐体外の音を筐体内のマイクへ導くためのマイク用開口が形成された電子機器において、
前記マイク用開口は防水透湿性繊維からなる布で覆われていることを特徴とする電子機器。
【請求項５】
筐体に対してＩＣタグに書込まれた情報を無線で読取るアンテナと操作員が持つためのハンドルとが取付けられ、
筐体表面に読取操作を行うための操作ボタンと読取った情報を表示する表示器とが設けられ、
筐体内に前記情報が読取られたことを操作員に告知するスピーカを含む電子部品が収納され、
筐体の壁に前記スピーカが発する音を筐体外へ放出するためのスピーカ用開口が形成された電子機器において、
前記スピーカ用開口は防水透湿性繊維からなる布で覆われていることを特徴とする電子機器。
【考案の詳細な説明】
【技術分野】
【０００１】
本考案は、筐体内に各種の電子部品が収納された電子機器に係わり、特に筐体内外を連通する各種の開口及び吸排気口が形成された電子機器に関する。
【背景技術】
【０００２】
図８は電子機器の一種であるパネル型パーソナルコンピュータ１の外観を示す斜視図であり、図９は図８のパネル型パーソナルコンピュータ１をＡ、Ａ’線で切断して、矢印方向に見た断面図である。
【０００３】
このパネル型パーソナルコンピュータ１（以下、パネル型ＰＣと略記する）において、薄い箱型形状を有する例えばプラスチック製の筐体２のフロントパネル２ａには、操作者が各種データを指で入力するためのタッチパネル３及び液晶表示器１０が勘入固定されている。なお、タッチパネル３は液晶表示器１０の前面に貼付けられている。
【０００４】
さらに、筐体２のフロントパネル２ａには、筐体２内に収納されたスピーカ８の音を筐体２外へ放出するためのスピーカ用開口４ａ、４ｂが形成されている。具体的には、図示するように、スピーカ用開口４ａ、４ｂは、それぞれ多くの小さい貫通孔５の集合体で構成されている。
【０００５】
筐体２のサイドパネル２ｂには、筐体２内に収納された図示しない電子部品が発する熱を筐体２外へ放出するための吸排気口６が形成されている。具体的には、図示するように、吸排気口６は、多くのスリット９の集合体で構成されている。さらに、筐体２のサイドパネル２ｂには外部の電子機器と通信を行ったりこのパネル型ＰＣ１へ電源を供給するための接続端子７が設けられている。また、筐体２のリアパネル２ｃには何も設けられていない。
【０００６】
なお、スピーカのコーン前面を防水シートで包囲した電子機器が特許文献１に開示されている。
【特許文献１】特開２０００−２７８６７４号公報
【考案の開示】
【考案が解決しようとする課題】
【０００７】
しかしながら、図８、図９に示すパネル型ＰＣ１においても未だ解消すべき次のような課題があった。
【０００８】
すなわち、このような構成のパネル型ＰＣ１においては、一般に、操作者の指が直接触れる筐体２のフロントパネル２ａにおける液晶表示器１０及びタッチパネル３の部分は防水処理が施されている。しかし、スピーカ用開口４ａ、４ｂや吸排気口６は、これらを設けた目的からして、このスピーカ用開口４ａ、４ｂや吸排気口６を完全に塞ぐことはできない。
【０００９】
このため、このスピーカ用開口４ａ、４ｂや吸排気口６がそのまま水や粉塵の筐体２内への侵入口となっていた。筐体２内へ水や粉塵が侵入すると、筐体２内に収納された各種の電子部品が損傷を受ける。
【００１０】
このような事態が発生することを未然に防止するために、このパネル型ＰＣ１を水をよく使う厨房や、粉塵が多発する薬品工場等に設置する場合においては、このパネル型ＰＣ１のパネル型ＰＣ本体を密閉構造にして、スピーカをパネル型ＰＣ本体に対して離れた高い位置に設置し、スピーカとパネル型ＰＣ本体とをケーブルで接続することが考えられる。
【００１１】
しかし、スピーカとパネル型ＰＣ本体とを分離すると、パネル型ＰＣ１全体の製造費が上昇する問題がある。さらに、取り扱いが煩雑になる。また、筐体２内に収納された電子部品が発する熱を筐体２外へ放出するための吸排気口６を塞ぐことになるので、筐体２内の温度が上昇して、筐体２内に収納された電子部品に悪影響が生じる懸念がある。
【００１２】
本考案はこのような事情に鑑みてなされたものであり、簡単な構成で、スピーカ用開口や吸排気口における通音性及び通気性を十分確保した上で、このスピーカ用開口や吸排気口から水や粉塵の筐体内への侵入を防止でき、水をよく使う環境や粉塵が多発する環境においても正常に使用可能な電子機器を提供することを目的とする。
【課題を解決するための手段】
【００１３】
上記課題を解消するために本考案においては、筐体内にスピーカを含む電子部品が収納されるとともに、筐体の壁にスピーカが発する音を筐体外へ放出するためのスピーカ用開口が形成された電子機器において、スピーカ用開口は防水透湿性繊維からなる布で覆われている。
【００１４】
このように構成された電子機器においては、スピーカ用開口は防水透湿性繊維からなる布で覆われている。この防水透湿性繊維は、例えば、撥水性の多孔質繊維で構成されており、各孔の孔径は水滴より小さく、水蒸気（空気）の分子より大きい。したがって、水滴、粉塵は遮断されるが、空気（水蒸気）は透過するので、空気の振動である音も透過する。その結果、スピーカの音を筐体外へ放出するスピーカ用開口の本来の機能を十分に維持した状態で、筐体内への水や粉塵の侵入が防止できる。
【００１５】
また別の考案は、上述した考案の電子機器において、スピーカは、スピーカ用開口に対向する位置で、かつスピーカ用開口に対して離間する位置に配設されている。
【００１６】
このように構成することにより、スピーカ用開口に、電子部品が発する熱を筐体外へ放出するための吸排気口の機能を兼任させることが可能となる。
【００１７】
また別の考案は、筐体内に電子部品が収納されるとともに、筐体の壁に電子部品が発する熱を筐体外へ放出するための吸排気口が形成された電子機器において、吸排気口は防水透湿性繊維からなる布で覆われている。
【００１８】
このように構成された電子機器においては、電子部品が発する熱を筐体外へ放出するための吸排気口に先の考案で使用した防水透湿性繊維からなる布が張られている。したがって、この吸排気口は電子部品が発する熱を筐体外へ放出する本来の機能を発揮するとともに、この吸排気口から水や粉塵が筐体内へ侵入することが防止される。
【００１９】
また別の考案は、筐体内にマイクを含む電子部品が収納されるとともに、筐体の壁に筐体外の音を筐体内のマイクへ導くためのマイク用開口が形成された電子機器において、マイク用開口は防水透湿性繊維からなる布で覆われている。
【００２０】
このように構成された電子機器においては、マイク用開口は防水透湿性繊維からなる布で覆われている。したがって、このマイク用開口は筐体外の音を筐体内のマイクへ導く本来の機能を発揮するとともに、このマイク用開口から水や粉塵が筐体内へ侵入することが防止される。
【００２１】
また別の考案は、筐体に対してＩＣタグに書込まれた情報を無線で読取るアンテナと操作員が持つためのハンドルとが取付けられ、筐体表面に読取操作を行うための操作ボタンと読取った情報を表示する表示器とが設けられ、筐体内に前記情報が読取られたことを操作員に告知するスピーカを含む電子部品が収納され、筐体の壁に前記スピーカが発する音を筐体外へ放出するためのスピーカ用開口が形成された電子機器において、スピーカ用開口は防水透湿性繊維からなる布で覆われている。
【００２２】
このように構成された電子機器においては、スピーカ用開口は防水透湿性繊維からなる布で覆われているので、先に説明した考案に係わる電子機器とほぼ同じ作用効果を奏することが可能である。
【考案の効果】
【００２３】
本校案の電子機器においては、筐体の内側と外側とを連通するスピーカ用開口、吸排気口、マイク用開口を防水透湿性繊維からなる布で覆っている。したがって、スピーカ用開口、吸排気口、マイク用開口の本来の機能を維持したままで、スピーカ用開口、吸排気口、マイク用開口を介して水や粉塵が筐体内へ侵入することを防止できる。
【００２４】
その結果、防水透湿性繊維からなる布を各開口や吸排気口に張るという簡単な構成で、水をよく使う環境や粉塵が多発する環境においても正常に使用可能な電子機器を実現できる。
【考案を実施するための最良の形態】
【００２５】
以下、本考案の各実施形態を図面を用いて説明する。
【００２６】
（第１実施形態）
図１は本考案の第１実施形態に係わる電子機器の一種であるパネル型パーソナルコンピュータの外観を示す斜視図であり、図２（ａ）は図１のパネル型パーソナルコンピュータをＡ、Ａ’線で切断して、矢印方向に見た断面図である。図２（ｂ）は図２（ａ）の要部の拡大図である。図８、図９に示す従来のパネル型パーソナルコンピュータと同一部分には同一符号を付して重複する部分の詳細説明は省略する。
【００２７】
この第１実施形態に係わるパネル型パーソナルコンピュータ（以下、パネル型ＰＣと略記する）１１において、プラスチック製の筐体２のフロントパネル２ａには、タッチパネル３及び液晶表示器１０が勘入固定されている。なお、タッチパネル３は液晶表示器１０の前面に貼付けられている。
【００２８】
さらに、筐体２のフロントパネル２ａには、筐体２内に収納されたスピーカ８の音を筐体２外へ放出するための円形のスピーカ用開口１２ａ、１２ｂが形成されている。この円形のスピーカ用開口１２ａ、１２ｂには防水透湿性繊維からなる布１３が張られている。より具体的には、図２（ｂ）に示すように、円形のスピーカ８の環状縁が布１３を介してスピーカ用開口１２ａ、１２ｂの環状縁に固定されている。
【００２９】
筐体２のサイドパネル２ｂには、筐体２内に収納された図示しない電子部品が発する熱を筐体２外へ放出するための吸排気口１４が形成されている。この吸排気口１４には、スピーカ用開口１２ａ、１２ｂと同じように、防水透湿性繊維からなる布１５が張られている。さらに、筐体２のサイドパネル２ｂには外部の電子機器と通信を行ったりこのパネル型ＰＣ１１へ電源を供給するための接続端子７が設けられている。また、筐体２のリアパネル２ｃには何も設けられていない。
【００３０】
次に、スピーカ用開口１２ａ、１２ｂ及び吸排気口１４に張られた防水透湿性繊維からなる布１３、１５の特性を説明する。この布１３、１５を構成する防水透湿性繊維は、前述したように、例えば、撥水性の多孔質繊維で構成されており、各孔の孔径は水滴より小さく、水蒸気（空気）の分子より大きい。したがって、水滴、粉塵は遮断されるが、空気（水蒸気）は透過する。
【００３１】
なお、このような特性を有した多孔質繊維の一例としてゴアテックス（登録商標）がある。このゴアテックスは、ポリテトラフロロエチレン（ＰＴＦＥ）のファインパウダーを押し固め、高温・高速で２軸方向に延伸して製造される。その結果、内部に多数の空孔が形成される。各空孔は個々に独立したものでなく、どの面から見ても相互に連通しあって、内部で途切れることのない連続多孔質構造を形成している。このような連続多孔質構造を採用することにより、優れた撥水性、及び優れた防水透湿性を実現できる。
【００３２】
このように構成された第１実施形態の電子機器としてのパネル型ＰＣ１１においては、スピーカ用開口１２ａ、１２ｂ及び吸排気口１４はそれぞれ防水透湿性繊維からなる布１３、１５で覆われている。この防水透湿性繊維の布１３、１５は、前述したように、水滴、粉塵を遮断するが、空気は透過するので、空気の振動である音も透過する。その結果、スピーカ８の音を筐体２外へ放出するスピーカ用開口１２ａ、１２ｂの本来の機能を十分に維持した状態で、筐体２内への水や粉塵の侵入が防止できる。同様に、吸排気口１４は電子部品が発する熱を筐体２外へ放出する本来の機能を発揮するとともに、この吸排気口１４から水や粉塵が筐体２内へ侵入することが防止される。
【００３３】
その結果、このスピーカ８が組込まれかつ吸排気口１４が設けられたパネル型ＰＣ１１を、水をよく使う厨房や粉塵が多発する製薬工場等の悪環境下においても正常に使用可能となる。
【００３４】
（第２実施形態）
図３は本考案の第２実施形態に係わる電子機器の一種であるパネル型ＰＣ１１ａの断面図である。図２（ａ）に示す第１実施形態のパネル型ＰＣ１１と同一部分には同一符号を付して重複する部分の詳細説明は省略する。
【００３５】
この第２実施形態のパネル型ＰＣ１１ａにおいては、筐体２のリアパネル２ｃには、筐体２内に収納されたスピーカ８の音を筐体２外へ放出するための円形のスピーカ用開口１２ｃが形成されている。この円形のスピーカ用開口１２ｃには防水透湿性繊維からなる布１３が張られている。そして、筐体２のフロントパネル２ａにはスピーカ用開口１２ａ、１２ｂが形成されていない。
【００３６】
このように構成された第２実施形態のパネル型ＰＣ１１ａにおいても、スピーカ用開口１２ｃには防水透湿性繊維からなる布１３が張られているので、第１実施形態のパネル型ＰＣ１１とほぼ同じ作用効果を得ることができる。
【００３７】
（第３実施形態）
図４は本考案の第３実施形態に係わる電子機器の一種であるパネル型ＰＣ１１ｂの断面図である。図２（ａ）に示す第１実施形態のパネル型ＰＣ１１と同一部分には同一符号を付して重複する部分の詳細説明は省略する。
【００３８】
この第３実施形態のパネル型ＰＣ１１ｂにおいては、スピーカ８は、スピーカ用開口１２ａに対向する位置で、かつスピーカ用開口１２ａに対して離間する位置に配設されている。すなわち、スピーカ８の円形の環状縁８ａが、筐体１のリアパネル２ｃに対して支持部材１６を介して固定されている。一方、防水透湿性繊維からなる布１３は、その周縁部がスピーカ用開口１２ａの環状縁に貼付けられている。そして、スピーカ用開口１２ａとスピーカ８との間には、一定の空間が形成さている。その結果、筐体２内の空気は、スピーカ用開口１２ａを介して筐体２外へ通流可能である。
【００３９】
このように、スピーカ用開口１２ａに、電子部品が発する熱を筐体外へ放出するための吸排気口の機能を兼任させることが可能となるので、専用の吸排気口を設ける必要はない。
【００４０】
（第４実施形態）
図５は本考案の第４実施形態に係わる電子機器の一種であるパネル型ＰＣ１１ｃの外観を示す斜視図であり、図６（ａ）は図５のパネル型ＰＣ１１ｃをＢ、Ｂ’線で切断して、矢印方向に見た断面図である。また、図６（ｂ）は図５のパネル型ＰＣ１１ｃをＡ、Ａ’線で切断して、矢印方向に見た断面図である。図１、図２に示す本考案の第１実施形態のパネル型ＰＣ１１と同一部分には同一符号を付して重複する部分の詳細説明は省略する。
【００４１】
この第４実施形態のパネル型ＰＣ１１ｃにおける筐体２のフロントパネル２ａには、筐体２内に収納されたスピーカ８の音を筐体２外へ放出するための円形のスピーカ用開口１２ａが形成されている。このスピーカ用開口１２ａには防水透湿性繊維からなる布１３が張られている。
【００４２】
さらに、この筐体２のフロントパネル２ａには、筐体２外の音を筐体２内のマイク１８へ導くための円形のマイク用開口１７が形成されている。このマイク用開口１７には、防水透湿性繊維からなる布１９が張られている。より具体的には、図６（ａ）に示すように、筐体２のリアパネル２ｃに支持部材２０を介して固定された円柱状のマイク１８が防水透湿性繊維からなる布１９が張られているマイク用開口１７に対向している。
【００４３】
このように構成された第４実施形態のパネル型ＰＣ１１ｃにおいては、スピーカ用開口１２ａ、マイク用開口１７及び吸排気口１４はそれぞれ防水透湿性繊維からなる布１３、１９、１５で覆われている。この防水透湿性繊維の布１３、１９、１５は、前述したように、水滴、粉塵を遮断するが、空気は透過するので、空気の振動である音も透過する。その結果、スピーカ８の音を筐体２外へ放出するスピーカ用開口１２ａ、筐体２外の音を筐体２内のマイク１８へ導くためのマイク用開口１７、筐体２内の電子部品が発する熱を筐体２外へ放出する吸排気口１４の本来の機能を十分に維持した状態で、このスピーカ用開口１２ａ、マイク用開口１７、吸排気口１４から水や粉塵が筐体２内へ侵入することが防止される。
【００４４】
その結果、このスピーカ８やマイク１８が組込まれかつ吸排気口１４が設けられたパネル型ＰＣ１１ｃを、水をよく使う厨房や粉塵が多発する製薬工場等の悪環境下においても正常に使用可能となる。
【００４５】
（第５実施形態）
図７は本考案の第５実施形態に係わる電子機器の一種である携帯型の情報読取端末を示す模式図である。  
この情報読取端末３０は、コンテナ３４に取付けられＩＣタグ３５に書込まれた商品情報や送付先情報を無線で読取るアンテナ３１と、操作員が読取操作を行うための操作部３２と、操作員が持つためのハンドル３３と、情報読取端末本体３９とで構成されている。操作部３２には、読取った情報を表示する表示器３６、スピーカ用開口３７、操作ボタン３８が設けられている。スピーカ用開口３７には、前述した防水透湿性繊維の布が張られている。
【００４６】
なお、スピーカは、ＩＣタグ３５に書込まれた商品情報や送付先情報がアンテナ３１で正常に読取られたことを短い高周波音で操作員に知らせるために必要である。
【００４７】
このように構成された、コンテナ３４に取付けられＩＣタグ３５に書込まれた商品情報や送付先情報を無線で読取る情報読取端末３０は野外で使用されることが多いが、たとえ雨天時において使用したとても、水滴が操作部３２内に侵入することが防止できる。
【図面の簡単な説明】
【００４８】
【図１】本考案の第１実施形態に係わるパネル型ＰＣの外観を示す斜視図
【図２】同実施形態のパネル型ＰＣの断面図
【図３】本考案の第２実施形態に係わるパネル型ＰＣの断面図
【図４】本考案の第３実施形態に係わるパネル型ＰＣの断面図
【図５】本考案の第４実施形態に係わるパネル型ＰＣの外観を示す斜視図
【図６】同実施形態のパネル型ＰＣの断面図
【図７】本考案の第５実施形態に係わる携帯型の情報読取端末を示す模式図
【図８】従来のパネル型ＰＣの外観を示す斜視図
【図９】同従来のパネル型ＰＣの断面図
【符号の説明】
【００４９】
１，１１，１１ａ，１１ｂ．１１ｃ…パネル型ＰＣ、２…筐体、２ａ…フロントパネル、２ｂ…サイドパネル、２ｃ…リアパネル、３…タッチパネル、７…接続端子、８…スピーカ、１０…液晶表示器、１２ａ，１２ｂ，１２ｃ，３７…スピーカ用開口、１３，１５，１９…防水透湿性繊維からなる布、１４…吸排気口、１７…マイク用開口、１８…マイク、３０…情報読取端末、３１…アンテナ、３２…操作部、３３…ハンドル、３４…コンテナ、３５…ＩＣタグ、３９…情報読取端末本体
【図１】
0003104217.tif 000003
【図２】
0003104217.tif 000004
【図３】
0003104217.tif 000005
【図４】
0003104217.tif 000006
【図５】
0003104217.tif 000007
【図６】
0003104217.tif 000008
【図７】
0003104217.tif 000009
【図８】
0003104217.tif 000010
【図９】
0003104217.tif 000011